(57)【特許請求の範囲】
【請求項１】
要求される通信品質毎に分類されたＱｏＳクラスが複数存在するＡＴＭ網に設けられたＡＴＭ交換機における呼接続受付方法であって、
新しい呼が接続される毎に該呼の呼番号と属するＱｏＳクラスとを保持し、
前記ＡＴＭ網に接続中の各呼が実際に使用する帯域を測定し、
前記測定された接続中の各呼の使用帯域と、前記保持された接続中の各呼の呼番号及びＱｏＳクラスとからＱｏＳクラス毎に一呼あたりの平均使用帯域を算出して保持し、
前記ＡＴＭ網に接続された加入者端末からベストエフォート型の呼の接続要求を受けた時に、前記ＡＴＭ網における空き帯域が前記接続要求している呼の属するＱｏＳクラスにおける前記平均使用帯域以上である場合に前記接続要求している呼の呼接続を受け付けることを特徴とする呼接続受付方法。
【請求項２】
要求される通信品質毎に分類されたＱｏＳクラスが複数存在するＡＴＭ網に設けられたＡＴＭ交換機における呼接続受付方法であって、
新しい呼が接続される毎に該呼の呼番号と属するＱｏＳクラスとを保持し、
前記ＡＴＭ網に接続された加入者端末からベストエフォート型の呼の接続要求を受けた時に、
前記ＡＴＭ網に接続中の呼のうち前記接続を要求している呼と同じＱｏＳクラスに属する各呼が実際に使用する帯域を測定し、
前記測定された呼別使用帯域を前記保持された接続中の各呼の呼番号及びＱｏＳクラス情報に照会し、前記接続を要求している呼と同じＱｏＳクラスにおける一呼あたりの平均使用帯域を算出して保持し、
前記ＡＴＭ網における空き帯域が前記接続要求している呼の属するＱｏＳクラスにおける前記平均使用帯域以上である場合に前記接続要求している呼の呼接続を受け付けることを特徴とする呼接続受付方法。
【請求項３】
要求される通信品質毎に分類されたＱｏＳクラスが複数存在するＡＴＭ網に設けられたＡＴＭ交換機であって、
前記ＡＴＭ網に新しい呼が接続される毎に該呼の呼番号と属するＱｏＳクラスとを保持する保持手段と、
前記保持手段が保持する接続中の各呼の呼番号及びＱｏＳクラスからＱｏＳクラス毎の接続中の呼数を算出する呼数算出手段と、
前記ＡＴＭ網に接続中の各呼が実際に使用する帯域を測定する呼別使用帯域測定手段と、
前記呼別使用帯域測定手段によって得られた各呼の使用帯域を前記保持手段が保持する接続中の各呼のＱｏＳクラス情報に照会し、ＱｏＳクラス毎の合計使用帯域を算出するクラス別使用帯域算出手段と、
前記クラス別使用帯域算出手段によって得られたＱｏＳクラス毎の使用帯域を前記呼数算出手段によって得られた対応するＱｏＳクラスの呼数で除算することによって各ＱｏＳクラスにおける一呼あたりの平均使用帯域を算出する平均帯域算出手段と、
前記ＡＴＭ網に接続された加入者端末からベストエフォート型の呼の接続要求を受けた時に、前記ＡＴＭ網の空き帯域が前記接続要求している呼の属するＱｏＳクラスにおける前記平均使用帯域以上である場合に前記接続要求している呼の呼接続を受け付ける受付制御手段とを有することを特徴とするＡＴＭ交換機。
【請求項４】
要求される通信品質毎に分類されたＱｏＳクラスが複数存在するＡＴＭ網に設けられたＡＴＭ交換機であって、
前記ＡＴＭ網に新しい呼が接続される毎に該呼の呼番号と属するＱｏＳクラスとを保持する保持手段と、
前記ＡＴＭ網に接続された加入者端末からベストエフォート型の呼の接続要求を受けた時に、前記保持手段が保持する接続中の各呼の呼番号及びＱｏＳクラスから前記接続を要求している呼と同じＱｏＳクラスに属する接続中の呼数を算出する呼数算出手段と、
前記ＡＴＭ網に接続された加入者端末からベストエフォート型の呼の接続要求を受けた時に、前記ＡＴＭ網に接続中の呼のうち前記接続を要求している呼と同じＱｏＳクラスに属する各呼が実際に使用する帯域を測定する呼別使用帯域測定手段と、
前記呼別使用帯域測定手段によって前記ＱｏＳクラスにおける前記呼別使用帯域が得られた時に、該呼別使用帯域を前記保持手段が保持する接続中の各呼のＱｏＳクラス情報に照会し、前記接続を要求している呼と同じＱｏＳクラスに属する接続中の全呼の合計使用帯域を算出するクラス別使用帯域算出手段と、
前記クラス別使用帯域算出手段によって前記ＱｏＳクラスにおける前記合計使用帯域が得られた時に、該合計使用帯域を前記呼数算出手段によって得られた呼数で除算することによって前記接続を要求している呼の属するＱｏＳクラスにおける一呼あたりの平均使用帯域を算出する平均帯域算出手段と、
前記平均帯域算出手段によって前記ＱｏＳクラスにおける前記平均使用帯域が得られた時に、前記ＡＴＭ網の空き帯域が前記接続要求している呼の属するＱｏＳクラスにおける前記平均使用帯域以上である場合に前記接続要求している呼の呼接続を受け付ける受付制御手段とを有することを特徴とするＡＴＭ交換機。
【発明の詳細な説明】
【０００１】
【発明の属する技術分野】
本発明は、ＡＴＭ（Ａｓｙｎｃｈｒｏｎｏｕｓ  Ｔｒａｎｓｆｅｒ  Ｍｏｄｅ；非同期転送モード）方式を採用する通信網（以下、ＡＴＭ網という）の交換機（以下、ＡＴＭ交換機という）における呼受付制御に関し、特にベストエフォート型の呼を網の能力以上に受け付けることを防ぐと共に、帯域利用効率を向上させるＡＴＭ交換機及びその呼受付制御方法に関する。
【０００２】
【従来の技術】
音声や映像などのマルチメディア通信に適した通信方式としてＡＴＭ技術が知られている。マルチメディア通信では、音声のようにリアルタイム性が要求されるものや、データのように低ビット誤りが要求されるものなど様々な通信品質のサービスを扱う。ＡＴＭは、このようなサービス毎の品質（ＱｏＳ）に柔軟に対応できる通信方式である。
【０００３】
まず、図３を用いて、ＱｏＳクラス及びＶＣについて説明する。図３は、一般的なＡＴＭ交換機間の通信の様子を示す模式図である。
【０００４】
ＱｏＳ（Ｑｕａｌｉｔｙ  ｏｆ  Ｓｅｒｖｉｃｅ；サービス品質）クラスとは、様々なサービスを、提供されるべき通信品質の観点から分類したものであり、ＱｏＳクラスの数や各クラスの通信品質は通信事業者によって任意に設定可能である。代表的なＱｏＳクラスとしては、一定の帯域が保証される帯域保証（ギャランティ）型、保証帯域を有さず、その時に空いている通信帯域から「できるかぎり」要求帯域に見合う帯域が確保されるベストエフォート型、両者を組み合わせた保証帯域と非保証帯域とを有するベストエフォート＆ギャランティ型（例：６４ｋｂｐｓを最低保証するＩＭＴ−２０００のプレミア・ベストエフォート型）、などが挙げられる。
【０００５】
図３（ａ）に示すように、ＡＴＭ交換機間の物理伝送路内には複数のＱｏＳクラス用の帯域が存在している。ＡＴＭ伝送において、仮想チャネル（Ｖｉｒｔｕａｌ  Ｃｈａｎｎｅｌ；ＶＣ）によって接続される各呼は、帯域とコネクションとで管理され、図３（ｂ）に示すように、各呼はいずれかのＱｏＳクラスに属する。
【０００６】
次いで、図４を用いて、従来のＡＴＭ交換機における呼受付制御について説明する。図４（ａ）は、ＡＴＭ交換機に新たに呼接続要求があった場合を示す模式図であり、図４（ｂ）は、帯域割当制御による呼受付可否判断の様子を示す模式図である。
【０００７】
ＡＴＭ伝送において呼が発生すると、加入者端末から交換機を介して制御信号網に対して、接続先、セル送出速度などの要求品質が申告される。制御信号網は、すべてのＡＴＭ交換機に接続され、呼の接続や切断のための制御信号を送受信する網である。図４（ａ）は、一例として、加入者端末Ｃが加入者端末Ｄへ６４ｋｂｐｓでの接続（即ち帯域保証型の接続）を交換機１に申請している場合を模式的に表している。
【０００８】
制御信号網は、接続要求があった旨及びその要求品質を、受信した接続要求を該接続が実現された場合に通過することになる交換機に伝達する。
【０００９】
交換機内のＣＡＣ（Ｃｏｎｎｅｃｔｉｏｎ  Ａｄｍｉｓｓｉｏｎ  Ｃｏｎｔｒｏｌ）は、申告された帯域と使用可能帯域とを比較して、該呼受付の可否を決定する。即ち、図４（ｂ）に示すように、現在（ここでは例えば仮想パス（Ｖｉｒｔｕａｌ  Ｐａｔｈ；ＶＰ）＃１において）使用されているトラフィック（実トラフィック）及びそのために確保されているリソースに、接続要求時に申告された帯域値を加算し、ＶＰ＃１の帯域を超えない（あふれない）場合には呼を受け付け、超える（あふれる）場合には受け付けない。
【００１０】
上記例では、帯域保証型の呼の接続について述べた。他方、ベストエフォート型の呼の接続を考える場合、接続要求時に申告される帯域が零（ゼロ）であるため、上記制御方法ではベストエフォート型の呼を網の能力以上に際限無く受け付けてしまうことになる。この場合は、網の輻輳状態を招き、ユーザーの快適な通信を妨げることになる。
【００１１】
そこで従来は、一般的な対策として、ＡＴＭ交換機に対してベストエフォート型の呼の要求帯域として推定した固定値を設定していた。
【００１２】
【発明が解決しようとする課題】
しかしながら上記の方法では、ベストエフォート型の呼のために積み上げられる帯域（以下、単にベストエフォート帯域という）が固定値であるため、時々刻々と帯域を変化させるデータ通信において、ベストエフォート帯域に不足や無駄が生じ、帯域の有効利用が図れない。
【００１３】
即ち、固定値たるベストエフォート帯域が、実際の帯域（実トラフィック）と著しく異なる場合、伝送路の帯域が空いているにもかかわらず呼損（受付拒否）としたり、伝送路が全て使用されているにもかかわらず新たな呼を受け付けたりするという状況が生じ得る。
【００１４】
これは、ベストエフォート帯域が固定値であるために生じ得る問題であり、設定時にどんなに綿密にベストエフォート帯域の推定を行っても生じ得る問題である。
【００１５】
このように、従来の呼受付制御方法では、帯域利用効率が悪化し得るという課題があった。
【００１６】
本発明はこのような課題を解決するものであり、ベストエフォート型の呼を網の能力以上に受け付けることを防ぐと共に、帯域利用効率を向上させるＡＴＭ交換機及びその呼受付制御方法を提供することを目的とする。
【００１７】
【課題を解決するための手段】
本発明の請求項１に係る呼接続受付方法は、要求される通信品質毎に分類されたＱｏＳクラスが複数存在するＡＴＭ網に設けられたＡＴＭ交換機における呼接続受付方法であって、新しい呼が接続される毎に該呼の呼番号と属するＱｏＳクラスとを保持し、前記ＡＴＭ網に接続中の各呼が実際に使用する帯域を測定し、前記測定された接続中の各呼の使用帯域と、前記保持された接続中の各呼の呼番号及びＱｏＳクラスとからＱｏＳクラス毎に一呼あたりの平均使用帯域を算出して保持し、前記ＡＴＭ網に接続された加入者端末からベストエフォート型の呼の接続要求を受けた時に、前記ＡＴＭ網における空き帯域が前記接続要求している呼の属するＱｏＳクラスにおける前記平均使用帯域以上である場合に前記接続要求している呼の呼接続を受け付ける方法を採る。
【００１８】
この方法において、ＱｏＳクラス毎の平均使用帯域は、例えば所定の周期で繰り返し算出され、頻繁に更新されることが好ましい。
【００１９】
この方法によれば、ベストエフォート型の呼からの接続要求において、申告帯域を零（ゼロ）としないことで、網の能力以上にベストエフォート型の呼を受け付けてしまうことを防ぐことができる。
【００２０】
又、接続要求している呼と同じＱｏＳクラスに属する接続中の呼のその時点での平均使用帯域を該呼の申告帯域として用いることによって、トラフィックの状況に応じて網の使用可能帯域を有効に利用することができる。
【００２１】
本発明の請求項２に係る呼接続受付方法は、要求される通信品質毎に分類されたＱｏＳクラスが複数存在するＡＴＭ網に設けられたＡＴＭ交換機における呼接続受付方法であって、新しい呼が接続される毎に該呼の呼番号と属するＱｏＳクラスとを保持し、前記ＡＴＭ網に接続された加入者端末からベストエフォート型の呼の接続要求を受けた時に、前記ＡＴＭ網に接続中の呼のうち前記接続を要求している呼と同じＱｏＳクラスに属する各呼が実際に使用する帯域を測定し、前記測定された呼別使用帯域を前記保持された接続中の各呼の呼番号及びＱｏＳクラス情報に照会し、前記接続を要求している呼と同じＱｏＳクラスにおける一呼あたりの平均使用帯域を算出して保持し、前記ＡＴＭ網における空き帯域が前記接続要求している呼の属するＱｏＳクラスにおける前記平均使用帯域以上である場合に前記接続要求している呼の呼接続を受け付ける方法を採る。
【００２２】
この方法によれば、ベストエフォート型の呼からの接続要求において、申告帯域を零（ゼロ）としないことで、網の能力以上にベストエフォート型の呼を受け付けてしまうことを防ぐことができる。
【００２３】
又、接続要求している呼と同じＱｏＳクラスに属する接続中の呼のその時点での平均使用帯域を該呼の申告帯域として用いることによって、トラフィックの状況に応じて網の使用可能帯域を有効に利用することができる。
【００２４】
更に、ＱｏＳクラス毎の平均使用帯域の算出を、ベストエフォート型の呼から接続要求があった場合にのみ、該呼の属するＱｏＳクラスに限って行うことにより、常時全クラスの平均使用帯域を算出する場合よりも処理量を減らすことができる。
【００２５】
本発明の請求項３に係るＡＴＭ交換機は、要求される通信品質毎に分類されたＱｏＳクラスが複数存在するＡＴＭ網に設けられたＡＴＭ交換機であって、前記ＡＴＭ網に新しい呼が接続される毎に該呼の呼番号と属するＱｏＳクラスとを保持する保持手段と、前記保持手段が保持する接続中の各呼の呼番号及びＱｏＳクラスからＱｏＳクラス毎の接続中の呼数を算出する呼数算出手段と、前記ＡＴＭ網に接続中の各呼が実際に使用する帯域を測定する呼別使用帯域測定手段と、前記呼別使用帯域測定手段によって得られた各呼の使用帯域を前記保持手段が保持する接続中の各呼のＱｏＳクラス情報に照会し、ＱｏＳクラス毎の合計使用帯域を算出するクラス別使用帯域算出手段と、前記クラス別使用帯域算出手段によって得られたＱｏＳクラス毎の使用帯域を前記呼数算出手段によって得られた対応するＱｏＳクラスの呼数で除算することによって各ＱｏＳクラスにおける一呼あたりの平均使用帯域を算出する平均帯域算出手段と、前記ＡＴＭ網に接続された加入者端末からベストエフォート型の呼の接続要求を受けた時に、前記ＡＴＭ網の空き帯域が前記接続要求している呼の属するＱｏＳクラスにおける前記平均使用帯域以上である場合に前記接続要求している呼の呼接続を受け付ける受付制御手段とを有する構成を採る。
【００２６】
この構成において、平均帯域算出手段は、例えば所定の周期で、ＱｏＳクラス毎の平均使用帯域を繰り返し算出し、呼受付制御手段が最も新しく算出された平均使用帯域の値を常に用いることができるようにすることが好ましい。
【００２７】
この構成によれば、ベストエフォート型の呼からの接続要求において、申告帯域を零（ゼロ）としないことで、網の能力以上にベストエフォート型の呼を受け付けてしまうことを防ぐことができる。
【００２８】
又、接続要求している呼と同じＱｏＳクラスに属する接続中の呼のその時点での平均使用帯域を該呼の申告帯域として用いることによって、トラフィックの状況に応じて網の使用可能帯域を有効に利用することができる。
【００２９】
本発明の請求項４に係るＡＴＭ交換機は、要求される通信品質毎に分類されたＱｏＳクラスが複数存在するＡＴＭ網に設けられたＡＴＭ交換機であって、前記ＡＴＭ網に新しい呼が接続される毎に該呼の呼番号と属するＱｏＳクラスとを保持する保持手段と、前記ＡＴＭ網に接続された加入者端末からベストエフォート型の呼の接続要求を受けた時に、前記保持手段が保持する接続中の各呼の呼番号及びＱｏＳクラスから前記接続を要求している呼と同じＱｏＳクラスに属する接続中の呼数を算出する呼数算出手段と、前記ＡＴＭ網に接続された加入者端末からベストエフォート型の呼の接続要求を受けた時に、前記ＡＴＭ網に接続中の呼のうち前記接続を要求している呼と同じＱｏＳクラスに属する各呼が実際に使用する帯域を測定する呼別使用帯域測定手段と、前記呼別使用帯域測定手段によって前記ＱｏＳクラスにおける前記呼別使用帯域が得られた時に、該呼別使用帯域を前記保持手段が保持する接続中の各呼のＱｏＳクラス情報に照会し、前記接続を要求している呼と同じＱｏＳクラスに属する接続中の全呼の合計使用帯域を算出するクラス別使用帯域算出手段と、前記クラス別使用帯域算出手段によって前記ＱｏＳクラスにおける前記合計使用帯域が得られた時に、該合計使用帯域を前記呼数算出手段によって得られた呼数で除算することによって前記接続を要求している呼の属するＱｏＳクラスにおける一呼あたりの平均使用帯域を算出する平均帯域算出手段と、前記平均帯域算出手段によって前記ＱｏＳクラスにおける前記平均使用帯域が得られた時に、前記ＡＴＭ網の空き帯域が前記接続要求している呼の属するＱｏＳクラスにおける前記平均使用帯域以上である場合に前記接続要求している呼の呼接続を受け付ける受付制御手段とを有する構成を採る。
【００３０】
この構成によれば、ベストエフォート型の呼からの接続要求において、申告帯域を零（ゼロ）としないことで、網の能力以上にベストエフォート型の呼を受け付けてしまうことを防ぐことができる。
【００３１】
又、接続要求している呼と同じＱｏＳクラスに属する接続中の呼のその時点での平均使用帯域を該呼の申告帯域として用いることによって、トラフィックの状況に応じて網の使用可能帯域を有効に利用することができる。
【００３２】
更に、平均帯域算出手段は、ＱｏＳクラス毎の平均使用帯域の算出を、ベストエフォート型の呼から接続要求があった場合にのみ、該呼の属するＱｏＳクラスに限って行うため、例えば所定周期で全クラスの平均使用帯域を繰り返し算出する場合よりも処理を軽減することができる。
【００３３】
【発明の実施の形態】
以下、添付図面を参照しながら本発明の一実施形態について説明する。本発明に係る呼受付制御は、ベストエフォート型の呼の申告帯域を予め推定した固定値若しくは零（ゼロ）として扱わない。代わりに、ベストエフォート型の呼を受け付ける際に、該接続要求している呼は該呼と同じＱｏＳクラスに属する現在接続中の呼と同じ程度の帯域を使用するであろうという推測に基づき、該接続要求している呼（ベストエフォート型）の申告帯域を該呼と同じＱｏＳクラスに属する接続中の呼の平均使用（占有）帯域と同値とし、受付可否を判断する。
【００３４】
まず、図１及び図２を用いて、本発明の一実施形態に係るＡＴＭ交換機の構成について説明する。図１は、本発明の一実施形態に係るＡＴＭ交換機１００の概略構成図であり、図２は、本発明の一実施形態に係るＡＴＭ交換機１００の制御部１０４の概略構成図である。
【００３５】
図１に示すように、本実施形態に係るＡＴＭ交換機１００は、入力伝送路毎に設けられた入力回線対応部１０１と、各セルをヘッダ情報に基づいて出力伝送路にルーティングするスイッチ（ＳＷ）１０２と、出力伝送路毎に設けられた出力回線対応部１０３と、各部を制御する制御部１０４とを有する。
【００３６】
制御部１０４は、制御信号網に接続されている。制御部１０４は、制御信号網から、呼の接続要求、各呼のＱｏＳクラス、などの情報を取得する。
【００３７】
なお、ここでは、説明を簡略化するため、入力回線対応部及び出力回線対応部をそれぞれ１つずつ図示する。
【００３８】
入力回線対応部１０１は、入力回線監視部１０５と、入力バッファ１０６と、ヘッダ交換部１０７とを有し、出力回線対応部１０３は、出力回線監視部１０８と、出力バッファ１０９とを有する。
【００３９】
入力回線監視部１０５は、入力側伝送路のＶＣ毎の使用帯域を監視し、監視結果は、制御部１０４へ出力される。出力回線監視部１０８は、出力側伝送路のＶＣ毎の使用帯域を監視し、監視結果を制御部１０４へ出力する。
【００４０】
又、図２に示すように、制御部１０４は、テーブル管理部２０１と、帯域管理部２０２と、平均帯域算出部２０３と、ＣＡＣ２０４とを有する。
【００４１】
テーブル管理部２０１は、制御信号網から取得した情報に基づいて、各ＶＣ設定時にＶＣ番号とＱｏＳクラスとの対応関係を示すテーブルを作成し、保持している。
【００４２】
帯域管理部２０２は、入力回線監視部１０５及び出力回線監視部１０８からそれぞれ入力された入出力伝送路におけるＶＣ毎の使用帯域と、テーブル管理部２０１から得られる各ＶＣとＱｏＳクラスと対応関係から、ＱｏＳクラス毎の使用（若しくは占有）帯域を算出すると共に、ＱｏＳクラス毎のＶＣ数をカウントする。
【００４３】
平均帯域算出部２０３は、帯域管理部２０２によって得られたＱｏＳクラス毎の使用帯域をＱｏＳクラス毎のＶＣ数で除算して、ＱｏＳクラス毎に現在接続中の呼の一呼あたりの平均使用帯域を算出し、ＣＡＣ２０４へ出力する。
【００４４】
ＣＡＣ２０４は、平均帯域算出部２０３によって得られた接続中の呼の一呼あたりの平均使用帯域を保持し、新たな呼から接続要求があった場合に、該呼のＱｏＳクラスの上記平均使用帯域に基づいて該呼の接続の可否を判断する。又、該判断結果に基づいて、接続を受け付けるのであれば要求している呼に帯域を割り当て、入力バッファ１０６、ヘッダ変換部１０７、スイッチ１０２、及び出力バッファ１０９を制御する。
【００４５】
上記ＱｏＳクラス毎の平均使用帯域の算出は所定周期で行われ、ＣＡＣ２０４は上記周期毎に最新のＱｏＳクラス別平均使用帯域を取得する。上記所定周期を短くすることによって、時々刻々変化するベストエフォート型の呼の使用帯域をほぼリアルタイムで把握することができる。
【００４６】
又、上記平均使用帯域の算出には、上記各周期における瞬間の値を用いてもよく、上記所定周期期間中の時間平均値を用いてもよい。特に、バースト性が高い呼については時間平均値とした方が好ましい。
【００４７】
次いで、ベストエフォート型の呼の受付処理の流れについて説明する。ベストエフォート型の呼の接続要求が制御信号網からＡＴＭ交換機１００に到達すると、該接続要求している呼のＱｏＳクラスが制御部１０４に伝達されると共に、網の使用帯域が入力回線監視部１０５及び出力回線監視部１０８によって読み取られ、制御部１０４に伝達される。
【００４８】
ＣＡＣ２０４は、上記接続要求している呼の属するＱｏＳクラスの現在の平均使用帯域Ｘを現在の網の空き帯域Ｙと比較し、Ｘ＜Ｙであれば該呼の接続を受け付ける。
【００４９】
即ち、ベストエフォート型の呼を受け付ける際に、該接続要求している呼は該呼と同じＱｏＳクラスに属する現在接続中の呼と同じ程度の帯域を使用する可能性が高いという推測に基づき、接続要求している呼の属するＱｏＳクラスの現在の平均使用帯域Ｘを該呼の申告帯域として扱い、受付制御を行う。
【００５０】
例えば、全使用可能帯域を毎秒１５０キロビット（ｋｉｌｏ  ｂｉｔ  ｐｅｒｓｅｃｏｎｄ；ｋｂｐｓ）とし、うち１２８ｋｂｐｓが接続要求している呼と同じＱｏＳクラスに属する呼のみによって使用されている場合、呼数が２呼であれば、同ＱｏＳクラスにおける平均使用帯域は１２８／２＝６４ｋｂｐｓとなり、１５０−１２８＝２２ｋｂｐｓ（＜６４ｋｂｐｓ）であるから、同ＱｏＳクラスに属する呼の新たな接続は拒否される。又、呼数が１０呼であれば、同ＱｏＳクラスにおける平均使用帯域は１２８／１０＝１２．８ｋｂｐｓとなり、１５０−１２８＝２２ｋｂｐｓ（＞１２．８ｋｂｐｓ）であるから、同ＱｏＳクラスに属する呼の新たな接続は受け付けられる（許可される）。
【００５１】
ベストエフォート型の呼からの接続要求において、申告帯域を零（ゼロ）としないことは、網の能力以上にベストエフォート型の呼を受け付けてしまうことを防ぐことにつながる。
【００５２】
又、接続要求している呼と同じＱｏＳクラスに属する接続中の呼のその時点での平均使用帯域を該呼の申告帯域として用いることは、網の使用可能帯域を有効に利用することにつながる。前述のように算出周期を短くするほど、ＣＡＣがトラフィックの変化に対してリアルタイムに追随可能となり、帯域利用効率が向上すると考えられる。
【００５３】
接続要求している呼の接続が許可されると、該呼には入力バッファ１０６及び出力バッファ１０９においてＣＡＣ２０４によって帯域が割り当てられ、又、ヘッダ変換部１０７及びスイッチ１０２に該呼をルーティングするための制御情報が送られる。
【００５４】
このように、本実施形態によれば、占有帯域が時々刻々変化するベストエフォート型の呼の新規接続要求があった場合に、該呼と同じＱｏＳクラスに属する現在接続中の呼の平均使用帯域を該接続要求している呼の申告帯域として扱い呼受付制御を行うことによって、ベストエフォート呼を網の能力以上に受け付けることを防ぐと共に、帯域利用効率を向上させることができる。
【００５５】
なお、本発明の実施においては、ＱｏＳクラス毎の一呼あたりの平均使用帯域をベストエフォート型（及びベストエフォート＆ギャランティ型）の呼についてのみ算出することが好ましい。なぜなら、帯域保証型の呼は、申告帯域と（接続が許可された場合の）使用帯域とが常に等しく、ベストエフォート型の呼の受付制御によって影響を受けないからである。
【００５６】
又、ＣＡＣは、算出されたＱｏＳクラス別の平均使用帯域の最新値のみを保持するようにしてもよく、時系列的に複数保存するようにしてもよい。
【００５７】
又、平均帯域算出部は、算出されたＱｏＳクラス別の平均使用帯域を従前の算出値と比較し、両者の差が所定値以上の場合にのみＣＡＣが保持する最新の平均使用帯域を書き換えるようにしてもよい。
【００５８】
又、接続を要求してきたベストエフォート型の呼と同じＱｏＳクラスに属する接続中の呼が存在しなかった場合には、例えば、ａ）所定値若しくは零（ゼロ）を初期値として用いてもよく、ｂ）ベストエフォート型の他のＱｏＳクラスの平均使用帯域を用いてもよい。ｂ）の場合においてベストエフォート型の他のＱｏＳクラスとしてベストエフォート＆ギャランティ型のクラスしかなかった場合には、該クラスの平均使用帯域から該クラスにおける保証帯域分を引いた非保証帯域部分の平均使用帯域を用いるべきである。
【００５９】
更に、上記実施形態のように平均帯域算出部が周期的に全ＱｏＳクラスのクラス別平均使用帯域を算出する代わりに、平均帯域算出部が、ベストエフォート型の呼から接続要求があった場合に限り、該呼の属するＱｏＳクラスについてのみ平均使用帯域を算出するようにしてもよい。
【００６０】
【発明の効果】
以上、説明したように、本発明の請求項１に係る呼接続受付方法によれば、網の能力以上にベストエフォート型の呼を受け付けてしまうことを防ぐことができると共に、トラフィックの状況に応じて網の使用可能帯域を有効に利用することができる。
【００６１】
又、本発明の請求項２に係る呼接続受付方法によれば、網の能力以上にベストエフォート型の呼を受け付けてしまうことを防ぐことができると共に、トラフィックの状況に応じて網の使用可能帯域を有効に利用することができる。又、処理量を減らすことができる。
【００６２】
又、本発明の請求項３に係るＡＴＭ交換機によれば、網の能力以上にベストエフォート型の呼を受け付けてしまうことを防ぐことができると共に、トラフィックの状況に応じて網の使用可能帯域を有効に利用することができる。
【００６３】
更に、本発明の請求項４に係るＡＴＭ交換機によれば、網の能力以上にベストエフォート型の呼を受け付けてしまうことを防ぐことができると共に、トラフィックの状況に応じて網の使用可能帯域を有効に利用することができる。又、平均使用帯域を算出するための処理を軽減することができる。
【図面の簡単な説明】
【図１】本発明の一実施形態に係るＡＴＭ交換機の概略構成図である。
【図２】本発明の一実施形態に係るＡＴＭ交換機の制御部の概略構成図である。
【図３】一般的なＡＴＭ交換機間の通信の様子を示す模式図である。
【図４】（ａ）  ＡＴＭ交換機に新たに接続要求があった場合を示す模式図である。
（ｂ）  帯域割当制御における受付可否判断の様子を示す模式図である。
【符号の説明】
１００  ＡＴＭ交換機
１０１  入力回線対応部
１０２  スイッチ（ＳＷ）
１０３  出力回線対応部
１０４  制御部
１０５  入力回線監視部
１０６  入力バッファ
１０７  ヘッダ交換部
１０８  出力回線監視部
１０９  出力バッファ
２０１  テーブル管理部
２０２  帯域管理部
２０３  平均帯域算出部
２０４  ＣＡＣ
【図１】
0003749443.tif 000002
【図２】
0003749443.tif 000003
【図３】
0003749443.tif 000004
【図４】
0003749443.tif 000005